(57)【要約】【課題】自転車の走行安定性を確保しつつ、長尺物を簡易に運搬できる自転車用運搬器具を提供する。【解決手段】長尺物２０を収納するための筒底１１Ａを備えた筒状の収納部１１と、収納部１１を自転車の後輪付近のシートステーとチェーンステーに固定するための取付部１２を備え、取付部１２は、後輪の車軸に対応する位置に切り欠きを有し、収納部１１を後輪の車軸の上方に配置する。また、筒底１１Ａを所定の方向に傾斜させ、筒底１１Ａの最低部に対応した位置の収納部１１の上端に、長尺物２０を固定するための長尺物固定部１３を備える。収納部１１の横断面を多角形とする。【選択図】図１
2019137304.tif 000002
【特許請求の範囲】
【請求項１】
長尺物を自転車で運搬するための自転車用運搬器具であって、
前記長尺物を収納するための筒底を備えた筒状の収納部と、
前記収納部を前記自転車のシートステーとチェーンステーに固定するための取付部と、を備え、
前記取付部は、後輪の車軸に対応する位置に切り欠きを有し、
前記収納部は、前記後輪の車軸の上方に配置されること
を特徴とする自転車用運搬器具。
【請求項２】
前記筒底は所定の方向に傾斜し、
前記筒底の最低部に対応した位置の前記収納部の上端から伸びた、前記長尺物を固定するための固定部を備えることを特徴とする請求項１に記載の自転車用運搬器具。
【請求項３】
前記収納部の横断面は多角形であることを特徴とする請求項１又は２に記載の自転車用運搬器具。
【発明の詳細な説明】
【技術分野】
【０００１】
本発明は、長尺物を自転車で運搬するための自転車用運搬器具に関する。
【背景技術】
【０００２】
非特許文献１には、電柱間で架空ケーブルを保持するつり線の腐食を判定するつり線腐食判定支援システムが開示されている。非特許文献１のつり線腐食判定支援システムは、つり線を撮影した写真を画像解析することで腐食劣化度を判定する。非特許文献１には、つり線を撮影するための装置として、長尺の操作棒の先端にカメラを取り付けた設備点検カメラが記載されている。
【先行技術文献】
【非特許文献】
【０００３】
【非特許文献１】“つり線腐食判定支援システム”、［online］、エヌ・ティ・ティ・アドバンステクノロジ株式会社、［平成30年1月17日検索］、インターネット〈 URL：http://www.ntt-at.co.jp/product/wire_decision/〉
【発明の概要】
【発明が解決しようとする課題】
【０００４】
つり線を設備点検する場合、自動車を点検エリア周辺の駐車場に駐車しておき、そこから自転車でエリア内のつり線の状態を確認する。不良箇所を目視確認すると、機材を取りに自動車に戻る。自動車から機材を取り出し、徒歩で機材を持って不良箇所へ移動する。不良箇所を撮影後、徒歩で自動車に戻る。
【０００５】
機材を自転車に積んで移動できれば不良箇所を発見したとき、すぐにつり線を撮影できる。つり線を撮影するための設備点検カメラは、長尺で重いため、自転車に積載しにくく、走行が不安定になるという問題があった。
【０００６】
本発明は、上記に鑑みてなされたものであり、自転車の走行安定性を確保しつつ、長尺物を簡易に運搬できる自転車用運搬器具を提供することを目的とする。
【課題を解決するための手段】
【０００７】
本発明に係る自転車用運搬器具は、長尺物を自転車で運搬するための自転車用運搬器具であって、前記長尺物を収納するための筒底を備えた筒状の収納部と、前記収納部を前記自転車のシートステーとチェーンステーに固定するための取付部と、を備え、前記取付部は、後輪の車軸に対応する位置に切り欠きを有し、前記収納部は、前記後輪の車軸の上方に配置されることを特徴とする。
【０００８】
上記自転車用運搬器具において、前記筒底は所定の方向に傾斜し、前記筒底の最低部に対応した位置の前記収納部の上端から伸びた、前記長尺物を固定するための固定部を備えることを特徴とする。
【０００９】
上記自転車用運搬器具において、前記収納部の横断面は多角形であることを特徴とする。
【発明の効果】
【００１０】
本発明によれば、自転車の走行安定性を確保しつつ、長尺物を簡易に運搬できる自転車用運搬器具を提供することができる。
【図面の簡単な説明】
【００１１】
【図１】本実施形態の自転車用運搬器具の構成を示す正面図である。
【図２】図１の自転車用運搬器具を自転車に取り付けた様子を示す図である。
【図３】図１の自転車用運搬器具の収納部の切断部端面図である。
【図４】長尺物が筒底と内周面で支持される様子を示す図である。
【発明を実施するための形態】
【００１２】
以下、本発明の実施の形態について図面を用いて説明する。
【００１３】
図１は、本実施形態の自転車用運搬器具１の構成を示す正面図である。自転車用運搬器具１は、自転車後輪の軸付近において、シートステーとチェーンステーに取り付ける運搬器具であり、１ｍを超える長尺物の運搬に適している。図２に、自転車用運搬器具１を自転車に取り付けた様子を示す。
【００１４】
自転車用運搬器具１は、収納部１１、取付部１２、長尺物固定部１３、及び長尺物固定紐１４を備える。自転車用運搬器具１の材料としては、スチールやアルミなどの金属を用いることができる。必要な強度が確保できるならばアクリルなどの樹脂を用いてもよい。
【００１５】
収納部１１は、筒底１１Ａを備えた筒形状であり、長尺物２０が挿入される。収納部１１の全長は、約３０ｃｍであり、収納部１１の筒の径は約６ｃｍである。収納部１１の大きさは、運搬する長尺物の長さや太さ、あるいは取り付ける自転車の大きさなどに応じて任意に決めて良い。収納部１１は、後輪の車軸の真上において、挿入した長尺物２０が地面に対してほぼ垂直となるように配置される。収納部１１には、複数本の長尺物２０を収納してもよい。
【００１６】
図３の切断部端面図に示すように、筒底１１Ａは水平面に対して傾斜している。筒底１１Ａを傾斜させることで、収納部１１の内径よりも小さい径の長尺物２０を収納部１１に挿入したときに、長尺物２０は自身の重みにより収納部１１の一方に寄せられる。筒底１１Ａは、収納部１１の底を完全に塞いでもよいが、雨水等を排水するための孔を備えてもよい。筒底１１Ａは、長尺物２０を支えることができる大きさ、形状であればよい。
【００１７】
収納部１１の内周の横断面の形状は長方形の２つの角を面取りした六角形であるが、これに限るものではなく、六角形以外の多角形であってもよいし、円形・楕円形であってもよい。直線と曲線を組み合わせた形状でもよい。図４（ａ）に示すように、収納部１１の横断面が多角形の場合、長尺物２０は収納部１１の２つの内周面の２点と傾斜した筒底１１Ａの合計３点で、より強固に支持される。図４（ｂ）に示すように、収納部１１の横断面が円形の場合、長尺物２０は収納部１１の内周の１点と傾斜した筒底１１Ａの合計２点で支持される。
【００１８】
取付部１２は、自転車用運搬器具１を自転車のシートステーとチェーンステーに固定する部位である。取付部１２は、自転車用運搬器具１を取り付ける自転車のシートステーとチェーンステーの位置に合わせたボルト穴を備える。自転車用運搬器具１を自転車に取り付けるときは、取付部１２を自転車に当てて、ボルト穴にボルトを挿入し、取付部１２と押さえ金具でシートステーとチェーンステーを挟んだ状態でナットを締める。
【００１９】
収納部１１を後輪の車軸の上方に配置するために、取付部１２は、車軸に対応する位置（チェーンステー用のボルト穴より後ろの部分）を切り欠き加工している。収納部１１が後輪の車軸よりも後方に位置する場合は、自転車の前輪を持ち上げたときに、長尺物２０の重みにより自転車が後方に転倒する可能性がある。また、収納部１１を前方に寄せすぎると、長尺物２０が運転者の背中や肩に接触するので自転車の運転の妨げになる。
【００２０】
長尺物固定部１３は、収納部１１の上端の一部から伸びる横断面がＬ字型の部位である。長尺物２０を長尺物固定部１３に沿わせて長尺物固定紐１４で固定する。長尺物固定部１３は、傾斜した筒底１１Ａによって長尺物２０が寄せられる側、つまり傾斜した筒底１１Ａの最低部に対応した位置の収納部１１の上端に設けられる。本実施形態では、筒底１１Ａは、収納部１１の内周の一つの角に向かって傾斜しており、長尺物固定部１３は、その角を挟んだ収納部１１の２面のそれぞれの上端の一部を延長するように形成されている。長尺物固定部１３は、収納部１１の上方において長尺物２０を自転車用運搬器具１に固定できればよい。
【００２１】
上述したように、長尺物２０の一端は、収納部１１の筒底１１Ａと内周面で支持される。長尺物２０の収納部１１からはみ出した部分を長尺物固定部１３に固定することで、長尺物２０は、一端と中間部分の２箇所が自転車用運搬器具１に固定されるので、運搬時の長尺物２０のガタツキを抑えることができる。
【００２２】
長尺物固定紐１４は、長尺物固定部１３に取り付けられた紐である。別途用意したベルトや針金などで長尺物２０を長尺物固定部１３に固定してもよい。長尺物固定紐１４は、長尺物２０を長尺物固定部１３に固定できるものであればよい。
【００２３】
次に、自転車用運搬器具１を用いたつり線の点検について説明する。
【００２４】
つり線の点検では、目視で不良が確認された箇所を詳細に解析するために、操作棒の先端にカメラを取り付けた設備点検カメラでつり線を撮影する。設備点検カメラは、高所のつり線を撮影するため長く、分解したり、縮めたりした場合でも１ｍを超える大きさとなる。また、設備点検カメラは、先端にカメラを取り付け、長く伸ばして使用するものであるため、重量（約２．５ｋｇ）がある。この設備点検カメラの運搬に自転車用運搬器具１を用いる。
【００２５】
作業者は、自転車用運搬器具１を取り付けた自転車と設備点検カメラを自動車に載せ、点検エリア近隣の駐車場に駐車する。自動車から自転車と設備点検カメラを取り出し、設備点検カメラを自転車用運搬器具１に収納して固定する。作業者は、設備点検カメラを載せた自転車に乗って設備点検を実施する。
【００２６】
不良箇所を確認すると、自転車用運搬器具１から設備点検カメラを取り出し、設備点検カメラを用いて不良箇所を撮影する。撮影後は、設備点検カメラを自転車用運搬器具１に収納し、自転車に乗って設備点検を続ける。
【００２７】
エリア内の点検が終わると、駐車場に戻り、設備点検カメラと自転車を自動車に載せる。
【００２８】
このように、本実施形態の自転車用運搬器具１を用いて設備点検カメラを運ぶことにより、不良箇所を発見する都度、撮影を行えるので、設備点検カメラを取りに戻る必要がなくなる。
【００２９】
以上説明したように、本実施の形態によれば、長尺物２０を収納するための筒底１１Ａを備えた筒状の収納部１１と、収納部１１を自転車の後輪付近のシートステーとチェーンステーに固定するための取付部１２を備え、取付部１２は、後輪の車軸に対応する位置に切り欠きを有し、収納部１１は、後輪の車軸の上方に配置されることにより、長尺物２０を安定して運搬することができる。
【００３０】
本実施の形態によれば、筒底１１Ａを所定の方向に傾斜させ、筒底１１Ａの最低部に対応した位置の収納部１１の上端に、長尺物２０を固定するための長尺物固定部１３を備えることにより、長尺物２０は、一端と中間部分の２箇所が固定されるので、運搬時の長尺物２０のガタツキを抑えることができる。
【００３１】
本実施の形態によれば、収納部１１の横断面を多角形とすることにより、長尺物２０の一端は筒底１１Ａと収納部１１の内周の２点の合計３点で、より強固に支持される。
【符号の説明】
【００３２】
１…自転車用運搬器具
１１…収納部
１１Ａ…筒底
１２…取付部
１３…長尺物固定部
１４…長尺物固定紐
２０…長尺物
【図１】
2019137304.tif 000003
【図２】
2019137304.tif 000004
【図３】
2019137304.tif 000005
【図４】
2019137304.tif 000006
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
長尺物を自転車で運搬するための自転車用運搬器具であって、
前記長尺物を収納するための筒底を備えた筒状の収納部と、
前記収納部を前記自転車のシートステーとチェーンステーに固定するための取付部と、を備え、
前記取付部は、後輪の車軸に対応する位置に切り欠きを有し、
前記収納部は、前記後輪の車軸の上方に配置され、前記筒底は所定の方向に傾斜し、
前記筒底の最低部に対応した位置の前記収納部の上端から伸びた、前記長尺物を固定するための固定部を備える
ことを特徴とする自転車用運搬器具。
【手続補正２】
【補正対象書類名】明細書
【補正対象項目名】０００７
【補正方法】変更
【補正の内容】
【０００７】
本発明に係る自転車用運搬器具は、長尺物を自転車で運搬するための自転車用運搬器具であって、前記長尺物を収納するための筒底を備えた筒状の収納部と、前記収納部を前記自転車のシートステーとチェーンステーに固定するための取付部と、を備え、前記取付部は、後輪の車軸に対応する位置に切り欠きを有し、前記収納部は、前記後輪の車軸の上方に配置され、前記筒底は所定の方向に傾斜し、前記筒底の最低部に対応した位置の前記収納部の上端から伸びた、前記長尺物を固定するための固定部を備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】